(57)【要約】【課題】  洗濯物をピンチなる乾燥具に吊るし乾燥させた場合に、洗濯物の取り外しを迅速化して、取り入れの手数を省力化する。  簡素な構成にて価格が低廉であり、使用に便利であり、機能の良いこと、破損の恐れの無い構成であること等が要求される。【手段】  Ｖ字形のピンチ上端の両摘み部を横長の矩形枠にて囲み、洗濯物を下方に引く事により横長矩形枠にて両摘み部を内方に圧しピンチを開口させ洗濯物を取り外す。【選択図】図１
0003138474.tif 000002
【実用新案登録請求の範囲】
【請求項１】
Ｖ字形状ピンチの両上端の摘み部の丸孔に結束素材を挿し通して折り曲げ、両端末を結合することにより横長の矩形枠を形成せしめ、該横長矩形枠の外側上辺の中央部に吊り手を設けてなることを特徴としたピンチの洗濯物取り外し装置。
【考案の詳細な説明】
【技術分野】
【０００１】  本考案は、一般家庭にて衣類、布製品等を洗濯後、乾燥するに際し、洗濯物を挟み吊るす乾燥用具に関するものである。
【背景技術】
【０００２】  本考案は、一般家庭において衣類、布製品等を洗濯した場合に、洗濯物を挟み吊す乾燥用具の挟み保持する部分であって、一般ではピンチなる名称にて呼称されているものである。
洗濯挟みは相当古くより存在しており当初は木製であったが、プラスチック等の出現にて合成樹脂製品に変化した、しかし木製も合成樹脂製も構成上では大きな相違は無い。
合成樹脂製になって相当な年月になるが、その間にバネの形状が変化した程度であって、構成上においての変化は長年していないが、近年に至り、金属線にて作られた物、或いは、取り入れを迅速化したピンチが出現している、しかし性能が悪く、耐用期間が短い等のため実用性が無く普及していない。【０００３】
【特許文献】  特開平０９−１５５０９８  特開２００５−０６６２６９  実用新案登録第３０９７１７４号
【考案の開示】
【考案が解決しようとする課題】
【０００４】  一般家庭用の洗濯物乾燥具としては、吊り挟み具、即ちピンチを、多数吊るしたものが、広く普及している、この乾燥具に洗濯物を吊す場合は手数を要するが、それは仕方のない事であるが、乾燥後の洗濯物を取り入れる場合に、迅速化する事が要望されて居り、その要望に応えるピンチが近年に、種々開発され市場にて販売されているが、性能において、実用にならないもの、或いは、実用になるとしても短期間にて破損し、耐久性に劣るもの等であり、需要者を満足させ得るものでなく、安価にて長年月の使用に耐え性能の優れた、ピンチが待望されて居る。
【課題を解決するための手段】
【０００５】  本考案は上記問題点を解決するために成されたものであって、乾燥を終えた洗濯物を、ピンチより取り外す場合に通常はピンチ上端の摘み部を指先にて挟み圧して、洗濯物をピンチより外して居たが、多数の洗濯物を迅速に取り入れるには、洗濯物を下方に引いてビンチより引き離す、この方法しか無いため、この方法の引き外し式ピンチが現今の市場に僅かながら出て居るが、性能が悪く耐用期限が短いため、普及していない。
本考案は洗濯物を下方に引く方法は同じであるが、ピンチ下端の洗濯物挟持部を開口させる手段として、Ｖ字形を成したるピンチの左右の上端に設けられた丸孔に金属線、又は合成樹脂製の線、又は帯状の素材を、挿し通し入れ、その通した線、帯状素材を折り曲げ、その線、帯素材の前後の端末を結合し、横長の矩形枠にする。
ピンチを正面より見て、ピンチ左右の上端が、横長の矩形枠の中の左右端に密着して囲居る状態に成す、このピンチ上端を囲み止める矩形の素材は柔軟であって、伸縮性が無く、滑り性の良い材質が好適であり、又耐用年限の長い素材であることは勿論である。
このピンチ上端を囲み止めた横長枠体の上側の中央部に吊り手の下端を取り付け、この吊り手の上端を乾燥具本体に取り付けて使用する。  。【０００６】  以下本考案の作用について説明する、ピンチの下端に挟持されたる乾燥物を手に持ち下方に引く事により、ピンチも共に下方に引かれるが、ピンチの吊り手は静止している。
このため吊り手の下端に結合された矩形枠状の上辺は、両端のみスリップして下降する、この作用によりＶ字形のピンチの角度が狭少され、そのため挟持部は開口し乾燥物を放す
本考案はピンチの最上端に於いてスリップ作用にてピンチを開口せしめているため、理論的にも最良の手段である、そのため僅かな引き力にて乾燥物を取り入れる事ができる。
上記以外の方法として、ピンチ上部の丸孔とバネ孔を利用しても可能であるが、効率が低下する。
【考案の効果】
【０００７】  本考案は次の効果を奏する、簡素な構成なるため製造が極めて簡易である、そのため製造単価も当然安価となり、販売価格も廉価に成すことができる。
性能が極めて良いため多数の洗濯物を、僅かな引き力にて、まとめて損傷させず取り入れる事が容易にでき、取り入れ時間を大幅に短縮する事ができる。
【考案を実施するための最良の形態】
【０００８】  Ｖ字形を成したるピンチの両上端部に設けられたる丸孔を利用して、結束素材を挿し通し、それにて横長の矩形枠を形成せしめ、この横長矩形枠内の左右端にピンチ左右の上端を接して位置せしめ、横長矩形枠の上辺の中央部に吊り手を設けて成るピンチを構成し、洗濯物乾燥具の洗濯物吊り具として、提供する。
【実施例】
【０００９】  以下本考案を図面に基づき詳細に説明する、洗濯物を乾燥させる際にピンチなる吊り具を使用する事は広く一般化されて居るが、このピンチは乾燥後の取り入れに際し手数を要して居た本考案は、この取り入れの手数を迅速化するものである。
［図１］は本考案のピンチの洗濯物取り外し装置及び取り外し方法を用いたピンチの斜視図であって、１はピンチ本体である、本考案は現今市場の、どのようなピンチにも、利用可能である。
ピンチ本体１は、Ｖ字形を成して居り、左方の上端の摘み部２Ａには丸孔３Ａが設けられて居る。
右方の上端の摘み部２Ｂには丸孔３Ｂが設けられて居る、この丸孔３Ａ及び丸孔３Ｂに結束素材４を挿し通して曲げ、前後の端末を結合して、横長の矩形枠を形成する。
この結束素材４は柔軟性であって、伸縮せず、滑り性が良く、耐用期間の長いものを使用する、一般市販の合成樹脂製の結束バンドは最適ではないが、一応の使用には可能な、素材である、この結束素材４の品質が本考案の効果、価値を左右するため良好な材質を、選定する事が肝要である、好適であれば金属、皮革、化学繊維、合成樹脂等、どのような素材を、利用しても良い事は勿論である。
結束素材４にて作られた横長矩形の上辺５の中央部に吊り手６が設けられ、この吊り手６の上端が乾燥具本体に掛止められる。【００１０】  ［図２］は本考案のピンチの洗濯物取り外し装置及び取り外し方法を用いたピンチの正面図にして、この［図２］にて本考案の洗濯物取り外し作用を説明する。
ピンチ本体１はＶ字形をなして居り、左上端の摘み部２Ａ及び右上端の摘み部２Ｂは、結束素材４にて作られた横長矩形枠内の左右の両端に接して支持されている。
この横長矩形枠の上辺５の中央部に吊り手６が設けられ、その吊り手６の上端は乾燥具本体に掛止められている。
ピンチ本体１の下端の挟持部７に挟まれた洗濯物はバネ８により強く圧し挟まれて居るこの洗濯物を手に持ち下方に引くと、洗濯物と共にピンチ本体１も下方に引かれ下がる。
ピンチ本体１は下降するが、吊り手６は上端が乾燥具本体に掛止められているため下降しない。
吊り手６が静止して居て、ピンチ本体１が下降すると、結束素材４にて作られた横長の矩形枠が変形し上辺５が山の字状になる、この変形にて摘み部２Ａと摘み部２Ｂとの間隔は短縮され、挟持部７は開口し洗濯物を放す。
本考案は、ピンチ本体１の最上端において、結束素材４を滑り作用させているため、理論的に最高効率を発揮する、そのため極めて弱い引き力にて洗濯物を取り外す事ができる  結束素材４の素質は性能に大きく関係するため、良い材質を選定する、又本考案の根本を成す横長の矩形枠は、余計な緩みを作らず正確に作成する事が肝要である。
本考案は、このような実施例に何等限定されるものでなく、本考案の要旨を逸脱しない範囲において種々なる態様にて実施し得ることは勿論である。
【産業上利用の可能性】
【００１１】  本考案は極めて簡素な構成なるため廉価にて生産ができ、そのため安価にて販売ができ又乾燥後の取り入れ手数が大幅に軽減できるため、生活上に多大な効果を奏する、このようなため産業上に大きく期待されている。
【図面の簡単な説明】
【００１２】
【図１】は本考案の、ピンチの洗濯物取り外し装置及び取り外し方法を用いたピンチの斜視図である。
【図２】は本考案の、ピンチの洗濯物取り外し装置及び取り外し方法を用いたピンチの正面図である。
【符号の説明】
【００１３】  １    ピンチ本体
２Ａ  摘み部
２Ｂ  摘み部
３Ａ  丸孔
３Ｂ  丸孔
４    結束素材
５    上辺
６    吊り手
７    挟持部
【図１】
0003138474.tif 000003
【図２】
0003138474.tif 000004